(57)【特許請求の範囲】
【請求項１】
支持される部材（１１）を一方に有するフレキシブル部材（６ａ）、（６ｂ）、（８９）の他方を接続した形態で備えたベース装置（３）に、立ち状態で水平方向に回動可能に支持される、立ちアーム部（４）と該立ちアーム部（４）から横に延びた横アーム部（５）とからなる支持アーム部（２）と、
この支持アーム部（２）に垂れ下げ形態で設けられた、前記フレキシブル部材（６ａ）、（６ｂ）、（８９）を吊り状態で支持するための紐と、
ベッドの手摺り、テーブルの縁などの取付箇所に着脱自在形態で取り付けられ、前記支持される部材（１１）を支持するクリップ（４１）を有してなる、前記支持アーム部（２）とは別体である固定手段（８）、（５１）と、とからなるとともに、
前記紐で前記フレキシブル部材（６ａ）、（６ｂ）、（８９）を吊り状態で支持し、クリップ（４１）で前記支持される部材（１１）を支持できるようにしたことを特徴とする支持装置。
【請求項２】
支持される部材（１１）を一方に有するフレキシブル部材（６ａ）、（６ｂ）、（８９）の他方を接続した形態で備えたベース装置（３）に、立ち状態で水平方向に回動可能に支持される、立ちアーム部（４）と該立ちアーム部（４）から横に延びた横アーム部（５）とからなる支持アーム部（２）と、
この支持アーム部（２）に垂れ下げ形態で設けられた、前記フレキシブル部材（６ａ）、（６ｂ）、（８９）を吊り状態で支持するための紐と、とからなることを特徴とする支持装置。
【請求項３】
前記紐の前記垂れ下がり長さを調節するための、前記紐を含む構成である昇降吊り部（２１）、（５３）、（６０）、（６７）、（７７）、（８１）を設けてなることを特徴とする請求項１、２のいずれか１項に記載の支持装置。
【請求項４】
前記昇降吊り部が、前記紐と、前記紐を移動自在に通す外側紐通し孔を有する外筒、この外筒に移動可能に収納された前記紐を移動自在に通す内側紐通し孔を有する指で押し込み操作するロックＯＮ・ＯＦＦ駒、このロックＯＮ・ＯＦＦ駒を常に押し出し付勢している圧縮コイルバネとからなる紐通しロック手段（５５）、（９３ａ）、（９３ｂ）とからなる形態であることを特徴とする請求項３記載の支持装置。
【発明の詳細な説明】
【技術分野】
【０００１】
本発明は、例えば、人工呼吸器、延命装置（医療機器に限定されない）などのベース装置から伸びる吸入管（フレキシブル部材）とその先端の吸入器、電灯、ディスプレイなどの支持される部材を支持するのに適した支持装置に関する。
【背景技術】
【０００２】
従来、人工呼吸器や延命装置の管（フレキシブル部材）を支持するアーム装置（支持装置）として、複数のアームを回動自在とする関節部によって連結し、関節部に棒の回動をロックするロック機構を有し、一方側がベース装置（テーブル、医療機器装置、機械装置など）に支持ないし固定され、他方側がフリー状態で支持される部材を支持する片側支持形態のアーム式支持装置が知られている。（例えば特許文献１）
また、ベッドの手摺りを挟持するバネ付勢力の強いクリップにフレキシブルアームが取り付けられた医療用器支持具が知られている。（例えば特許文献２）
【先行技術文献】
【特許文献】
【０００３】
【特許文献１】実用新案登録第3１66092号公報
【特許文献２】特開2011-19645号公報
【非特許文献】
【０００４】
【非特許文献１】特になし
【発明の概要】
【発明が解決しようとする課題】
【０００５】
上述した特許文献１の技術は、複数のアームが複数の関節部によって連結されたアーム本体が長尺であるために、フリー側先端のクリップ状の保持部２０に支持される部材を支持するフリー側の振れが大きくなって、支持される部材の安定性、位置決め性が悪いという欠点を有するものであった。
また、ベース装置が移動するとフリーの他方側も一緒に移動するので、他方側の位置が変わってしまうという欠点を有するものであり、それを訂正するためには複数の関節部のロック解除→ロックという調節操作を行わなければならないという欠点を有するものであった。
また、支持される部材の位置決めおよび使用終了後の邪魔にならない状態とするためには、関節部およびアームの操作をしなければならず、その操作性が煩雑で時間が浪費され軽快操作性に欠けるという欠点があった。
また、特許文献２の技術は、女性など非力な人がその強いバネ付勢力に抗してクリップ（固定手段）を開くことが無理、苦痛であるないし強い精神的肉体的ストレスを感じるものであり、中には手の筋肉や筋を痛める人さえ生じるという欠点を有するものであった。
【０００６】
本発明は以上のような従来技術の欠点に鑑み、支持される部材の位置決めが安定し、アームの調節を必要としない支持装置の提供を目的としている。
また、本発明の他の目的は、支持される部材の位置決めが安定し、アームの調節操作を必要とせず、かつ、支持した管などのフレキシブル部材の高さ調節が自在に行える支持装置の提供を目的としている。
また、本発明の他の目的は、支持される部材の位置決めが安定し、アームの調節操作を必要とせず、かつ、非力な人手も容易で簡単で素早く軽快に取り付け取り外しができる固定手段を有する支持装置を提供することを目的としている。
【課題を解決するための手段】
【０００７】
上記目的を達成するために、本発明は次に述べるような構成としている。
＜請求項１記載の発明＞
支持される部材（１１）を一方に有するフレキシブル部材（６ａ）、（６ｂ）、（８９）の他方を接続した形態で備えたベース装置（３）に、立ち状態で水平方向に回動可能に支持される、立ちアーム部（４）と該立ちアーム部（４）から横に延びた横アーム部（５）とからなる支持アーム部（２）と、
この支持アーム部（２）に垂れ下げ形態で設けられた、前記フレキシブル部材（６ａ）、（６ｂ）、（８９）を吊り状態で支持するための紐と、
ベッドの手摺り、テーブルの縁などの取付箇所に着脱自在形態で取り付けられ、前記支持される部材（１１）を支持するクリップ（４１）を有してなる、前記支持アーム部（２）とは別体である固定手段（８）、（５１）と、とからなるとともに、
前記紐で前記フレキシブル部材（６ａ）、（６ｂ）、（８９）を吊り状態で支持し、クリップ（４１）で前記支持される部材（１１）を支持できるようにしたことを特徴とする支持装置である。
「フレキシブル部材」とは、フレキシブルな管、通信コード、電線コード、紐、ロープなどである。
＜請求項２記載の発明＞
支持される部材（１１）を一方に有するフレキシブル部材（６ａ）、（６ｂ）、（８９）の他方を接続した形態で備えたベース装置（３）に、立ち状態で水平方向に回動可能に支持される、立ちアーム部（４）と該立ちアーム部（４）から横に延びた横アーム部（５）とからなる支持アーム部（２）と、
この支持アーム部（２）に垂れ下げ形態で設けられた、前記フレキシブル部材（６ａ）、（６ｂ）、（８９）を吊り状態で支持するための紐と、とからなることを特徴とする支持装置である。
＜請求項３記載の発明＞
前記紐の前記垂れ下がり長さを調節するための、前記紐を含む構成である昇降吊り部（２１）、（５３）、（６０）、（６７）、（７７）、（８１）を設けてなることを特徴とする請求項１、２のいずれか１項に記載の支持装置である。
＜請求項４記載の発明＞
前記昇降吊り部が、前記紐と、前記紐を移動自在に通す外側紐通し孔を有する外筒、この外筒に移動可能に収納された前記紐を移動自在に通す内側紐通し孔を有する指で押し込み操作するロックＯＮ・ＯＦＦ駒、このロックＯＮ・ＯＦＦ駒を常に押し出し付勢している圧縮コイルバネとからなる紐通しロック手段（５５）、（９３ａ）、（９３ｂ）とからなる形態であることを特徴とする請求項３記載の支持装置である。
【発明の効果】
【０００８】
以上の説明から明らかなように、本発明にあっては次に列挙する効果が得られる。
＜請求項１記載の発明の効果＞
支持される部材（１１）を一方に有するフレキシブル部材（６ａ）、（６ｂ）、（８９）の他方を接続した形態で備えたベース装置（３）に、立ち状態で水平方向に回動可能に支持される、立ちアーム部（４）と該立ちアーム部（４）から横に延びた横アーム部（５）とからなる支持アーム部（２）と、
この支持アーム部（２）に垂れ下げ形態で設けられた、前記フレキシブル部材（６ａ）、（６ｂ）、（８９）を吊り状態で支持するための紐と、
ベッドの手摺り、テーブルの縁などの取付箇所に着脱自在形態で取り付けられ、前記支持される部材（１１）を支持するクリップ（４１）を有してなる、前記支持アーム部（２）とは別体である固定手段（８）、（５１）と、とからなるとともに、
前記紐で前記フレキシブル部材（６ａ）、（６ｂ）、（８９）を吊り状態で支持し、クリップ（４１）で前記支持される部材（１１）を支持できるようにしたことを特徴とする支持装置であるので、次に述べるような効果を奏する。
すなわち、
支持アーム部でフレキシブル部材を吊り支持し、固定手段を取付箇所に取り付け固定し、支持される部材を固定手段側で支持する取り付け支持形態を実現するものである。
これによって、支持アーム部の調節操作を必要とせず、かつ、支持アーム部およびベース装置の振れや動きが固定手段に影響を与えない支持形態を実現し、よって、固定手段に支持されている支持される部材が動かない安定した支持状態を実現するという効果を奏する。
また、支持アーム部が水平方向に回動自在であるので、ベース装置の配置位置と固定手段の固定位置とのあいだにずれがあっても、あるいはずれが生じても支持アームが自動的に回動して適応することができ、ベース装置を移動のときや保管場所に保管するときは、支持アームを例えば９０度ないし１８０度回動（図１、図２参照）させるという、単純簡単な回動操作だけで移動時や保管時に邪魔にならないようにできる。
＜請求項２記載の発明の効果＞
支持される部材（１１）を一方に有するフレキシブル部材（６ａ）、（６ｂ）、（８９）の他方を接続した形態で備えたベース装置（３）に、立ち状態で水平方向に回動可能に支持される、立ちアーム部（４）と該立ちアーム部（４）から横に延びた横アーム部（５）とからなる支持アーム部（２）と、
この支持アーム部（２）に垂れ下げ形態で設けられた、前記フレキシブル部材（６ａ）、（６ｂ）、（８９）を吊り状態で支持するための紐と、とからなることを特徴とする支持装置である。
＜請求項３記載の発明の効果＞
前記紐の前記垂れ下がり長さを調節するための、前記紐を含む構成である昇降吊り部（２１）、（５３）、（６０）、（６７）、（７７）、（８１）を設けてなることを特徴とする請求項１、２のいずれか１項に記載の支持装置である。
＜請求項４記載の発明の効果＞
前記昇降吊り部が、前記紐と、前記紐を移動自在に通す外側紐通し孔を有する外筒、この外筒に移動可能に収納された前記紐を移動自在に通す内側紐通し孔を有する指で押し込み操作するロックＯＮ・ＯＦＦ駒、このロックＯＮ・ＯＦＦ駒を常に押し出し付勢している圧縮コイルバネとからなる紐通しロック手段（５５）、（９３ａ）、（９３ｂ）とからなる形態であることを特徴とする請求項３記載の支持装置である。
【図面の簡単な説明】
【０００９】
【図１】本発明の実施例１の使用前の正面図。
【図２】本発明の実施例１の使用状態を示す正面図。
【図３】本発明の実施例１の固定手段の斜視図および部分拡大側面図。
【図４】本発明の実施例２の固定手段の斜視図。
【図５】本発明の実施例３の正面図。
【図６】本発明の実施例４の正面図。
【図７】本発明の実施例５の正面図。
【図８】本発明の実施例６の一部分を断面した一部正面図。
【図９】本発明の実施例７の正面図。
【図１０】本発明の実施例８の昇降吊り部の正面図および紐通しロック手段の斜視図。
【図１１】本発明の実施例８の昇降吊り部の部分拡大斜視図。
【図１２】本発明の実施例８の昇降吊り部の使用状態例を示す正面図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１、図2、図３に示す本発明の実施例において１は支持装置であり、支持装置１は以下のような構成となっている。
すなわち、
人工呼吸器、人工吸入器等であるベース装置３（医療機器に限定されない）に立ち状態に支持される立ちアーム部４、この立ちアーム部４から横に延びた横アーム部５とからなる、フレキシブル管やコードなどのフレキシブル部材６を支持する関節部を有さない支持アーム部２と、
ベッド２５の手摺り２６である取付箇所に着脱自在形態で取り付けられ、主に前記フレキシブル部材６ａ、６ｂの先端などに設けられた吸引器、吸入器、電灯、ディスプレイなどの支持される部材１１を直接的にあるいは、他の部材を介して間接的に支持する、前記支持アーム部２から分離された固定手段８と、
この固定手段８に設けられた逆Ｌ字棒部材からなる係止部１０と、
前記ベース装置３あるいは前記支持アーム部２に設けられた、前記係止部１０が着脱自在形態で挿入係止される係止孔１２を有する固定手段保持部９とからなっている。
【００１２】
ベース装置３（ここでは、人工呼吸器）は棒部材からなるベース枠体１３にディスプレイ、制御部、吸入駆動部、キャスターなどを取り付けた形態であり、ベース枠体１３の正面右側には支持アーム部２を取り付ける支持アーム取付支持部１４が設けられ、左側には係止孔１２を有する固定手段保持部９が設けられている。
支持アーム取付け部１４には締め付け摘み１５が設けられ、支持アーム部２が回動しないように回動をロックできるようになっていて、締めつけ摘み１５の締め付けにより主にベース装置３を移動走行させるときに支持アーム部２が回動振れないようにする。
【００１３】
支持アーム部２の横アーム部５の先端には、吊り紐１６を好みの位置でロックできる形態のリール１７が設けられ、吊り紐１６の先端には保持手段本体２０にフレキシブル部材６ａ、６ｂを２本嵌め込む管嵌め込み部１９ａ、１９ｂを有するフレキシブル部材保持手段１８が設けられている。
リール１７、吊り紐１６、フレキシブル部材保持手段１８とで昇降吊り部２１を形成している。
【００１４】
固定手段８は次のような構成となっている。
ベッド２５の手摺り２６の上手摺り部位２７に載り、該上手摺り部位２７を下方から嵌め形態で支持される上手摺り支持部２８と、
この上手摺り支持部２８の下方向き立ち下げ形態で設けられた、ベッド２５の床側に位置するように設けられた立ち下がり部３０と、
この立ち下がり部３０に縦孔形態で開口された案内支持部３１と、
この案内支持部３１に移動可能形態で通されたネジ棒３２（ねじ穴でもよい）を有しベッド２５の床側に位置されるように設けられた締め付け摘みであるロック・ロック解除操作手段３４と、
前記ネジ棒３２に螺合されたねじ穴３５（ネジ棒でもよい）を有し、ベッド２５の床側の反対側に設けられた、手摺り２６の下手摺り部位３６を下方からあるいは上方から嵌め形態で支持する下手摺り支持部３７と、
立ち下がり部３０の上方でベッド２５の床側にナットやボルトなどの締め付け手段３８によって取り付けられた水平棒４０と、
この水平棒４０の先端にベッドの床側に横向きで向いて設けられたフレキシブルアーム３９と、
このフレキシブルアーム３９の先端に設けられたクリップ４１とからなるとともに、
下手摺り支持部３７を上下移動可能としかつ好みの位置で固定状態とできるようにしてなるものである。
立ち下がり部３０のベッドの床側には下向き棒部材からなる逆Ｌ字形態の立ち下がり部３０が設けられている。
下手摺り支持部３７は円形全周溝形態の構造であり、手摺りの立ち手摺り部位（図示せず省略）にも、その横から嵌め形態として支持できる。
【００１５】
上手摺り支持部２８を上手摺り部位２７に載せ嵌め形態とし、下手摺り支持部３７を持ち上げ移動させて下手摺り部位３６に下から当て、ロック・ロック解除操作手段３４を締め付け回して固定する。ロック・ロック解除操作手段３４を緩めて下手摺り支持部３７を降ろして手摺り２６から簡単に外せる。
すなわち、女性のような非力な者でも、簡単・容易で素早く軽快に固定手段（固定具）の手摺りへの取付と取り外しができるものである。
これは、従来のベッドの手摺りを挟持するクリップと、このクリップにフレキシブルアームを設けた吸入器支持具（例えば、特開２０１０−２０１１２８号公報）の、クリップの付勢バネが強いために、女性など非力な者ではクリップを開くのが片手では無理、苦痛ないしストレスを強く感じさせるものであるという欠点を解消するものである。
すなわち、下手摺り部位３６への下手摺り支持部３７の下からの軽い当て状態にしないし上からの載せ状態とし、ロック・ロック解除操作手段であるロック・ロック解除操作手段３４による軽い回動操作だけによるロック・ロック解除操作だけで、簡単で素早く取付取り外し操作が行える。
【００１６】
立ち下がり部３０が手摺り２６の床側に位置され、下手摺り支持部３７が立ち下がり部３０の外側（床側に反対側）に位置されているので、水平棒４０側の荷重によって、立ち下がり部３０には常に床側に倒れ荷重形態にされている。よって、ロック・ロック解除操作手段３４のネジ棒が緩んで下手摺り支持部３７が下がり該ロック・ロック解除操作手段３４のネジ棒が少し緩んで下手摺り支持部３７による下手摺り部位３６の支持が解除されても、固定手段８が動き難い形態を実現しかつ手摺り２６から外れ難い形態を実現している。
【００１７】
支持アーム部２は水平方向に回動自在とされており、図１と図２には１８０度水平方向に回動した状態が示されている。
支持アーム部２の水平方向回動可能形態によって、ベース装置３が動いたりしても支持アーム部２が回動して固定手段８に影響を与えることはない。また、ベース装置３の配置箇所の自由度を拡大するものである。
【００１８】
案内支持部３１は溝形態、突起軌条形態でもよく、ロック・ロック解除操作手段３４は床側の反対側でも、横からの締め付け形態でもよい。
また、ネジによる締め付けロック、締め付け解除（ロック解除）という方法に限定されず、カムレバーによるレバーの回動操作、単なる面ファスナーバンドによる締め付け操作、紐による結束操作によるロックとロック解除など他の方法でもよい。
【００１９】
立ち下がり部３０を上手摺り支持部２８の床側部位を下方に延長した形態で形成したものもよい。それは、下方にすぼめ形態のもの、立ち下がり部３０のように横幅の狭い形態で形成したもの、幅の広い形態で形成したものなど多様な形態がある。
また、昇降吊り部は昇降機能の無い固定された単なる吊り部とするのもよい。
また、支持アーム部２の横アーム部５を立ちアーム部４は別体とし、横アーム部５の端に立ちアーム部４を通す形態と、立ちアーム部４上を昇降移動可能に設け、横アーム部５を締め付け摘みなどによって、好みの高さ位置にロックできるようにするのもよい。
【実施例２】
【００２０】
図４に示す本発明の実施例２において前記実施例１と主に異なる点は、固定手段を、下手摺り支持部をフック型の下手摺り支持部４９とし、下手摺り支持部４９の上端部は下手摺り部位３６の中央より上方に位置し、その先端部位は内側に突出した（湾曲突出も含む）突出部位５０となっていて、ロック・ロック解除操作手段３４のネジ棒が少し緩んで下手摺り支持部４９が下がっても、突出部位５０が下手摺り部位３６に当りそれ以上下がらないようにされる。すなわち、ロック・ロック解除操作手段３４のネジ棒が少し緩んでも下手摺り支持部４９による下手摺り部位３６の支持が保持されるようにしてなる固定手段５１を形成した点にある。
突出部位５０はゴム製部材からなっているが、下手摺り支持部４９そのものの突出部位でもよい。
立ち上がり部３０の上手摺り支持部２８の上方は、幅広くかつ厚みにある構成とした、クリップで挟持できるクリップ挟持プレート部５２を形成している。これにより、例えば、クリップにフレキシブルアームを設けた器具を取り付けることができる。
また、逆Ｌ字形状で下方から上げられる下手摺り支持部４９のヘッド部位が上昇するのを避けるヘッド避け部４７を有するとともに、下手摺り部位３６に被さる手摺り部位被さり部４８が設けられている。
手摺り部位被さり部４８は下手摺り支持部４９が下手摺り部位３６から下方に離れても、下手摺り部位３６の背面側に当り固定手段５１の下方が動くのを阻止するようにしている。
【００２１】
固定手段８、５１（固定具）は、ベース装置、支持アーム部とは関係なく別体である単体でも使用できるものであり、その技術的思想は次のようである。
すなわち、
ベッドの手摺り（柵）などの取り付け箇所を形成する上手摺り部位（上横棒）に載せ該上手摺り部位（上横棒）を嵌め形態として支持される上手摺り支持部（上横棒支持部）と、
この上手摺り支持部（上横棒支持部）の下部に設けられた立ち下がり部と、
この立ち下がり部に設けられた縦穴、縦溝、縦突起軌条などの案内支持部と、
この案内支持部に移動可能形態で支持されたロック・ロック解除操作手段と、
前記上手摺り部位（上横棒）の下方に位置された前記取付箇所を形成する下手摺り部位（下横棒）を上方あるいは下方から支持するとともに、前記ロック・ロック解除操作手段の操作によって前記下手摺り部位（下横棒）の前記支持状態をロック・ロック解除する下手摺り支持部（下横棒支持部）とからなることを特徴とする固定手段（固定具）である。
前記固定手段（固定具）は、ベッドの手摺り（ベッドの柵）に限定されるものではく、機械などを囲う囲い（柵）の胴縁、建築・建造物の柵の胴縁、あるいは固定手段（固定具）を取り付けるために特別に設けられた上横棒（胴縁）と下横棒（胴縁）を設けた取付箇所などがある。
【実施例３】
【００２２】
図５に示す本発明の実施例３において前記実施例１と主に異なる点は、昇降吊り部を昇降吊り部５３とした点にある。
この昇降吊り部５３は、横アーム部５の先端側に設けられた紐通し孔５４の上部に固定されたないしフリー状態で配置された紐通しロック手段５５と、この紐通しロック手段５５に移動可能に通されて紐通し孔５４に移動自在に通された紐５６と、この紐５６の紐通し孔５４から下方に出された先端に設けられたフレキシブル部材保持手段１８と、紐５６の紐通しロック手段５５の上方から出された側の先端に設けられたエンドストッパー５７とからなっている。
紐通しロック手段５５は、上下に紐５６を移動自在に通す外側紐通し孔を有する外筒と、この外筒に筒長さ方向に移動可能に収納された紐５６を移動自在に通す内側紐通し孔を有する指で押し込み操作するロックＯＮ・ＯＦＦ駒と、このロックＯＮ・ＯＦＦ駒を常に押し出し付勢している圧縮コイルバネとからなっている。ロックＯＮ・ＯＦＦ駒を止まるまで押し込むと外側紐通し孔と内側紐通し孔は重なって紐移動自在孔を形成して紐５６の移動を自在とし、ロックＯＮ・ＯＦＦ駒を開放すると圧縮コイルバネの押し出し付勢力でロックＯＮ・ＯＦＦ駒は外側に移動し、外側紐通し孔と内側紐通し孔はずれてその縁同士で紐５６を付勢挟持したロック状態として、紐５６が移動出来ないようにする。
横アーム部５の奥側上部には紐５６を掛ける紐掛け部５８が設けられている。
エンドストッパー５７に面ファスナー牝側ないし雄側を設け、横アーム部５に面ファスナー雄側ないし牝側を設ける形態もよい。
【実施例４】
【００２３】
図６に示す本発明の実施例４において前記実施例１と主に異なる点は、昇降吊り部を昇降吊り部６０とした点にある。
この昇降吊り部６０は、横アーム部５の先端下部側に設けられた紐案内滑車６１と、この紐案内滑車６１に案内される紐６２と、紐案内滑車６１から外側に垂れ下げられた紐６２の端側に設けられたフレキシブル部材保持手段１８と、紐案内滑車６１の内側に出された紐６２の端側に設けられた面ファスナ６３（雄側ないし牝側）と、横アーム部５の下面に設けられた面ファスナ６３が係着する長尺の面ファスナー６４（牝側ないし雄側）とからなっている。
面ファスナ６３の面ファスナー６４への係着位置でフレキシブル部材保持手段１８の高さ位置を好みの高さにできる。
【実施例５】
【００２４】
図７に示す本発明の実施例５において前記実施例４と主に異なる点は、昇降吊り部を、面ファスナ６３をリング６５に替え、面ファスナー６４を複数の引っ掛けるフック６６ａ〜６６ｅとした昇降吊り部６７とした点にある
リング６５のフック６６ａ〜６６ｅのいずれかの掛け位置によってフレキシブル部材保持手段１８の高さ位置を好みの高さにできる。
【実施例６】
【００２５】
図８に示す本発明の実施例６において前記実施例１と主に異なる点は、昇降吊り部を昇降吊り部７０とした点にある。
この昇降吊り部７０は、横アーム部５の先端に直接ないし他の部材を設けてそこに上下方向に貫通する貫通孔７１ａ、７１ｂを設け、横アーム部５の先端側開口から紐通しロック手段５５を差し込み設け、横アーム部５の先端側上部にロック機構を有さない発条による付勢巻取りフリーのリール７２を設け、そのリール７２に付勢巻き取られた紐７３を貫通孔７１ａ→紐通しロック手段５５の紐通し孔→貫通孔７１ｂと通して貫通孔７１ｂの下方に出し、その先端にフレキシブル部材保持手段１８を設けた構成としてなるものである。ネジないしピンからなるロック手段止め部６８によって紐通しロック手段５５はそれ以上奥に行かないように止められている。
ロックＯＮ・ＯＦＦ駒７４を指で押し込むと貫通孔７１ａ、紐通しロック手段５５の紐通し孔、貫通孔７１ｂが一直線に重なって紐７３が移動自在となり、このロック解除状態でレキシブル部材保持手段１８を持ち上下に移動させることが自在にでき、その際、持ち上げ時は紐７３はリール７２に自動的に付勢巻き取られ、引き下げ時は紐７３はリール７２の発条の付勢力に抗して引き出される。
ロックＯＮ・ＯＦＦ駒７４を解放すると、貫通孔７１ａ、７１ｂと紐通しロック手段５５の紐通し孔とはずれる状態になり、その縁同士で紐７３を挟持ロック状態とする。
リール７２は該リール７２と一体化された固定バー７５を固定ベルト７６によって横アーム部５に堅固に固定されている。
【００２６】
リール７２は横アーム部５に固定せずフリートする形態もよい。
紐通しロック手段５５の外筒が無い形態、すなわち、横アーム部５の内部に圧縮コイルバネとロックＯＮ・ＯＦＦ駒７４を設けた形態もよい。
また、紐通しロック手段５５を横アーム部５の先端に突出した形態で設けた形態もよい。この場合、貫通孔７１ａ、７１ｂは必要無い。また、この場合、紐通しロック手段５５とリール７２とが一体化した形態で取り付けられるのもよい。
また、紐通しロック手段５５を横アーム部５の下部側に固定ないしフリーで配置してもよい。
また、紐通しロック手段５５を横アーム部５とリール７２の間に位置させてもよい。
【実施例７】
【００２７】
図９に示す本発明の実施例７において前記実施例１と主に異なる点は、昇降吊り部を昇降吊り部７７とした点にある。
この昇降吊り部７７は、横アーム部５の先端下部側に設けられた紐案内滑車６１と、この紐案内滑車６１に案内される紐７８と、この紐７８の紐案内滑車６１から外側に垂れ下げられたその端側に設けられたフレキシブル部材保持手段１８と、紐案内滑車６１の内側に出された紐７８の端側に設けられた横アーム部５上をスライド可能に設けられ、かつ、スライドできないように固定するための締め付け摘み７９を有するスライダー８０とからなっている。
【００２８】
スライダー８０に替えて、紐７８を付勢巻取りする、横アーム部５上面ないし下面の好みの位置に固定されたリールとするのもよい。
その場合、リールにはロック・ロック解除機構を設ける形態とする。
あるいは、リールの付勢巻取りをロック機構を有さないフリートし、紐７８を通した紐通しロック手段（「株式会社ニフコ（東京証券取引所  第一部上場（証券コード7988））の、Ｃｏｒｄ−Ａｄｊｕｓｔｅｒ：ＣＬ１４」が好適）を滑車６１の前部側（フレキシブル部材保持手段１８との間）に設けるか、リール側（リールと滑車の間）に設け、一方の手で紐通しロック手段をロック解除操作し、他方の手でフレキシブル部材保持手段１８を持って上下移動させて好みの高さとなったところで指を解放してロック状態にする操作とするのもよい。
【実施例８】
【００２９】
図１０、図１１、図１２に示す本発明の実施例８において前記実施例１と主に異なる点は、昇降吊り部を昇降吊り部８１とした点にある。
この昇降吊り部８１は、横アーム部５上をスライド移動可能とされたスライダー８２と、
このスライダー８２のスライドを止める締め付け摘み８３と、
スライダー８２の一方側下部に設けられたＬ字型で紐を通す通し孔ないし溝を有するロック手段支持部８４ａと、
スライダー８２の他方側下部に設けられたＬ字型で紐を通す通し孔ないし溝を有するロック手段支持部８４ｂと、
ロック手段支持部８４ａ上に配置された紐通しロック手段９３ａと、
ロック手段支持部８４ｂ上に配置された紐通しロック手段９３ｂと、
紐通しロック手段９３ａに通されロック手段支持部８４ａの紐を通す通し孔ないし溝を通された紐８５と、この紐８５の一方の端側に設けられたエンドストッパー８６と、紐８５の他方の端側に設けられた、フレキシブル部材６ａを保持するフック形態の上部フック部８７、該上部フック部８７の下方に位置された下部フック部８８、上部フック部８７および下部フック部８８（いずれか一方でもよい）の背面に設けられた、点滴管などの細い管、通信コード、電線コードなどのフレキシブル部材８９を保持するプーリー形態の細フレキシブル部材支持部９０とからなるフレキシブル部材保持手段９１ａと、
紐通しロック手段９３ｂに通されロック手段支持部８４ｂの紐を通す通し孔ないし溝を通された紐８５と、この紐８５の一方の端側に設けられたエンドストッパー８６と、紐８５の他方の端側に設けられた、フレキシブル部材６ｂを保持するフック形態の上部フック部８７、該上部フック部８７の下方に位置された下部フック部８８、上部フック部８７および下部フック部８８（いずれか一方でもよい）の背面に設けられた、点滴管などの細い管、通信コード、電線コードなどのフレキシブル部材８９を保持するプーリー形態の細フレキシブル部材支持部９０とからなるフレキシブル部材保持手段９１ｂ（フレキシブル部材保持手段９１ａと同形態ないし対称形態）とからなっている。
【００３０】
フレキシブル部材保持手段９１ａ、９１ｂを図１１によってより詳細に説明する。
１本の針金部材からなる保持手段本体９２を折り曲げて、一方の側に上部フック部８７を形成し、他方の側に下部フック部８８を形成し、上部フック部８７と下部フック部８８の背部に細フレキシブル部材支持部９０を熔接で設けたものである。
紐８５で吊る部位である最上部の折曲部位は、上部フック部８７・下部フック部８８の略中心当りに位置するように曲げ位置させ、フレキシブル部材６ａ、６ｂを支持した状態でフレキシブル部材保持手段９１ａ、９１ｂが垂直となるような重心位置合わせ形態とするのがよい。
合成樹脂製部材で射出成形、プレス成形したものなどでもよい。
フレキシブル部材保持手段９１ａ、９１ｂは同一形態ないし対称形態である。
【００３１】
図１２においてフレキシブル部材６ａはその途中に収納された薬品を噴霧状態にして送るなどするための薬品収納容器９４ａを設けていて、フレキシブル部材６ｂはその途中に薬品収納容器９４ｂを設けている。
このようなフレキシブル部材の途中に薬品収納容器を設け、フレキシブル部材が薬品収納容器から左右に分岐して出る形態にあって、昇降吊り部８１は大いに役立つものである。
すなわち、薬品収納容器９４ａの天蓋から左側に延びたフレキシブル部材６ａを左側の上部フック部８７に掛け、右側に延びたフレキシブル部材６ａを右側の上部フック部８７に掛け、右側の上部フック部８７と右側の上部フック部８７の間下方に薬品収納容器９４ａを位置させる。さらに、薬品収納容器９４ｂの天蓋から左右に延びたフレキシブル部材６ｂ、６ｂに下部フック部８８、８８に掛けて、左側の下部フック部８８と左側の下部フック部８８の間下方で薬品収納容器９４ａの下方に薬品収納容器９４ｂを位置させる。
左側の細フレキシブル部材支持部９０と左側の細フレキシブル部材支持部９０には点滴管、通信コード、電線コードなどの細目のフレキシブル部材８９を載せ保持する。フレキシブル部材８９の案内面が湾曲形態であるので、点滴管などの細管部材が折れ潰れる状態にならない。
このように薬品収納容器９４ａ、９４ｂという複数を略目線と同じないし少し下方に位置させておくことができるので、薬品収納容器９４ａ、９４ｂ内の薬の状態が確認し易く、薬品収納容器９４ａ、９４ｂの取り外しての薬品の追加などの操作が行い易いものである。
【００３２】
また、フレキシブル部材８９を左側の細フレキシブル部材支持部９０と左側の細フレキシブル部材支持部９０間に長く垂れ下げる形態としていることからも明らかなように、フレキシブル部材８９、フレキシブル部材６ａ、６ｂが長尺で引き回しに難がある場合は、フレキシブル部材８９を左側の細フレキシブル部材支持部９０と左側の細フレキシブル部材支持部９０間に弧を描く垂れ下げる（弧描き垂れ下がり形態）ことによって、それを解消することが可能としているものである。
【００３３】
その技術的思想は、横アーム部に直接的にありは他の部材を介して間接的に間隔をあけて、フレキシブル部材の２箇所を支持した吊り状態とする第１のフレキシブル部材保持手段と第２のフレキシブル部材保持手段を設けてなるところにあるものである。
これによって、第１のフレキシブル部材保持手段と第２のフレキシブル部材保持手段の間にフレキシブル部材を好みの長さで垂れ下げる垂れ長さ調節形態を可能としているので、フレキシブル部材が引き回しができ難い長尺の場合でも、弧描き垂れ下がり形態での垂れ下がりを長くすることによりそれを解消し、好適な引き回し形態を実現することができる。また、フレキシブル部材途中に薬品収納容器、流量計、電流計、温度計などの計器類、貯留槽などの中間器機が設けられている場合は、その中間機器を第１のフレキシブル部材保持手段と第２のフレキシブル部材保持手段の間の好みの下方にその姿勢を良くした状態で位置させて見る、操作することを実現するものである。
【００３４】
紐通しロック手段９３ａ、９３ｂとして、「株式会社ニフコ（東京証券取引所  第一部上場（証券コード7988））の、Ｃｏｒｄ−Ａｄｊｕｓｔｅｒ：ＣＬ１４」が好適である。略図に示すような親指と人差し指で摘み、押し込みロック解除、解放しロックするのに適した形態をしている。
【００３５】
フレキシブル部材保持手段９１ａ、９１ｂの両方をあるいはいずれか一方を、昇降しない固定された吊り状態とした吊り部とするのもよい。
また、紐通しロック手段９３ａ、９３ｂに替えてロック機構を有するロック機構付リールとし、該ロック機構付リールに紐８５を付勢巻取り状態とする形態もよい。
また、紐通しロック手段９３ａ、９３ｂに替えてロック機構を有さない発条による付勢巻取りフリーの巻取りフリー式リールとし、該ロフリーの巻取りフリー式リールに紐８５を付勢巻取り状態し、紐８５を紐通しロック手段９３ａ、９３ｂに通し、紐通しロック手段９３ａ、９３ｂをロック手段支持部８４ａ、８４ｂの下部に位置させる形態もよい。
また、左側のエンドストッパー８６と右側のエンドストッパー８６を設けず、左側の紐８５と右側の紐８５を１本の紐からなる１本紐とし、ロック手段支持部８４ａ、８４ｂの間に前記１本紐からなる紐８５を下げ垂らす形態とするのもよい。
また、スライダー８２を設けず、フレキシブル部材保持手段９１ａ、９１ｂを横移動出来ない形態とするのもよい。この場合、フレキシブル部材保持手段９１ａ、９１ｂあるいはいずれか一方を昇降出来る形態、フレキシブル部材保持手段９１ａ、９１ｂのいずれも昇降出来ない形態、フレキシブル部材保持手段９１ａ、９１ｂを横アーム部５に略直接的に取り付けた形態などがある。
上部フック部８７および下部フック部８８のフレキシブル部材が載る部分にコロや湾曲体などの湾曲面部材を設け、フレキシブル部材が折れ潰れないようにするのがよい。
【産業上の利用可能性】
【００３６】
本発明は、主に医療補助具産業で利用される。
【符号の説明】
【００３７】
１：支持装置、
２：支持アーム部、
３：ベース装置、
４：立ちアーム部、
５：横アーム部、
６ａ、６ｂ：フレキシブル部材、
８：固定手段、
９：固定手段保持部、
１０：係止部、
１１：支持される部材、
１２：係止孔、
１３：ベース枠体１３、
１４：支持アーム取付支持部、
１５：締めつけ摘み、
１６：吊り紐、
１７：リール、
１８：フレキシブル部材保持手段、
１９ａ、１９ｂ：管嵌め込み部、
２０：保持手段本体、
２１：昇降吊り部、
２５：ベッド、
２６：手摺り、
２７：上手摺り部位、
２８：上手摺り支持部、
３０：立ち下がり部、
３１：案内支持部、
３２：ネジ棒、
３４：ロック・ロック解除操作手段、
３５：ねじ穴、
３６：下手摺り部位、
３７：下手摺り支持部、
３８：締め付け手段３８、
３９：フレキシブルアーム、
４０：水平棒、
４１：クリップ、
４７：ヘッド避け部、
４８：手摺り部位被さり部、
４９：下手摺り支持部、
５０：突出部位、
５１：固定手段、
５２：クリップ挟持プレート部、
５３：昇降吊り部、
５４：紐通し孔、
５５：紐通しロック手段、
５６：紐、
５７：エンドストッパー、
５８：紐掛け部、
６０：昇降吊り部、
６１：紐案内滑車、
６２：紐、
６３：面ファスナ、
６４：面ファスナー、
６５：リング、
６６ａ〜６６ｅ：フック、
６７：昇降吊り部、
６８：ロック手段止め部、
７０：証拠吊り部、
７１ａ、７１ｂ：貫通孔、
７２：リール、
７３：紐、
７４：ロックＯＮ・ＯＦＦ駒、
７５：固定バー、
７６：固定ベルト、
７７：昇降吊り部、
７８：紐、
７９：締め付け摘み、
８０：スライダー、
８１：昇降吊り部、
８２：スライダー、
８３：締め付け摘み、
８４ａ、８４ｂ：ロック手段支持部、
８５：紐、
８６：エンドストッパー、
８７：上部フック部、
８８：下部フック部、
８９：フレキシブル部材、
９０：細フレキシブル部材支持部、
９１ａ、９１ｂ：レキシブル部材保持手段、
９２：保持手段本体、
９３ａ、９３ｂ：紐通しロック手段、
９４ａ、９４ｂ：薬品収納容器。
【図１】
0005707583.tif 000002
【図２】
0005707583.tif 000003
【図３】
0005707583.tif 000004
【図４】
0005707583.tif 000005
【図５】
0005707583.tif 000006
【図６】
0005707583.tif 000007
【図７】
0005707583.tif 000008
【図８】
0005707583.tif 000009
【図９】
0005707583.tif 000010
【図１０】
0005707583.tif 000011
【図１１】
0005707583.tif 000012
【図１２】
0005707583.tif 000013